(57)【要約】【課題】パッケージングの底の外面に種々の情報を表示するための面積を十分に確保して表示個所の自由度を向上させる。【解決手段】パッケージングは可撓性板を折曲して成形される。パッケージングは平面状に展開した状態の可撓性板が本体部２０と大底部片４１と小底部片４２と底部左側片４３と底部右側片４４を有する。本体部は胴部背面片２１、胴部左側片２２、胴部正面片２３、胴部右側片２４から成る。大底部片４１は胴部背面片の下側に連設される。小底部片４２は胴部正面片の下側に連設され、胴部正面片に沿って延びる帯状片４２ａと、両端から突出する突片４２ｂ、４２ｃを有する。底部左側片４３は胴部左側片の下側に連設され、突片４２ｂに隣接する部位に切込み４３ａが形成される。底部右側片４４は胴部右側片の下側に連設され、突片４２ｃに隣接する部位に切込み４４ａが形成される。大底部片の挿入片４１ｂの幅は突片の間の距離よりも短い。【選択図】図２
2006232402.tif 000002
【特許請求の範囲】
【請求項１】
可撓性板を折曲することによって成形されるパッケージングであって、平面状に展開した状態における前記可撓性板が、
帯状に連設され、それぞれが略矩形を呈する胴部背面片、胴部左側片、胴部正面片、胴部右側片から成る本体部と、
前記胴部背面片の下側に連設されて略矩形を呈し、上下方向の寸法が前記胴部左側片の左右方向の長さに略等しい大底部片と、
前記胴部正面片の下側に連設され、前記胴部正面片に沿って延びる帯状片と、前記帯状片の両端から前記胴部正面片とは反対方向に突出する第１および第２の突片とを有する小底部片と、
前記胴部左側片の下側に連設され、前記第１の突片に対応する部位に第１の切込みが形成された底部左側片と、
前記胴部右側片の下側に連設され、前記第２の突片に対応する部位に第２の切込みが形成された底部右側片とを備え、
前記大底部片の先端に形成される挿入片の前記胴部背面片に沿う方向の長さが前記第１および第２の突片の間の距離よりも短いことを特徴とするパッケージング。
【請求項２】
前記大底部片がパッケージングの底部開口の大部分を覆う本体片と前記挿入片から成り、前記本体片と挿入片の間に、円弧状の第１および第２の切欠きが形成されることを特徴とする請求項１に記載のパッケージング。
【請求項３】
前記大底部片がパッケージングの底部開口の大部分を覆う本体片と前記挿入片から成り、前記本体片と挿入片の間に第３の切込みが形成されて、前記挿入片の縁部に、前記胴部背面片に沿う方向に突出する係合爪が設けられることを特徴とする請求項１に記載のパッケージング。
【請求項４】
前記係合爪の輪郭が直角よりも小さい角度で交差する２本の直線を含むことを特徴とする請求項３に記載のパッケージング。
【請求項５】
前記係合爪の輪郭が全体的に曲線であることを特徴とする請求項３に記載のパッケージング。
【請求項６】
前記係合爪の輪郭において、前記第３の切込みとは反対側に凹みが形成されることを特徴とする請求項３に記載のパッケージング。
【請求項７】
前記帯状片と前記第１および第２の突片との間に、円弧状の係合部が形成されることを特徴とする請求項１に記載のパッケージング。
【請求項８】
前記第１および第２の切込みが円弧状を有することを特徴とする請求項１に記載のパッケージング。
【請求項９】
前記底部左側片および底部右側片の上下方向の寸法がそれぞれ、前記胴部正面片の左右方向の長さの略半分であることを特徴とする請求項１に記載のパッケージング。
【請求項１０】
組立て状態において、前記挿入片が前記帯状片の内側に位置し、前記第１および第２の突片が前記底部左側片および前記底部右側片の内側に位置することを特徴とする請求項１に記載のパッケージング。
【請求項１１】
可撓性板を折曲することによって成形され、組立て状態において多角形の底部開口を有するパッケージングであって、平面状に展開した状態における前記可撓性板が、
帯状に連設された胴部背面片、胴部左側片、胴部正面片、胴部右側片から成り、前記胴部背面片が前記多角形において前記胴部正面片に略対向する一辺に位置する本体部と、
前記胴部背面片の下側に連設されて前記多角形と略同じ形状を呈する大底部片と、
前記胴部正面片の下側に連設され、前記胴部正面片に沿って延びる帯状片と、前記帯状片の両端から前記胴部正面片とは反対方向に突出する第１および第２の突片とを有する小底部片と、
前記胴部左側片の下側に連設され、前記第１の突片に隣接する部位に第１の切込みが形成された底部左側片と、
前記胴部右側片の下側に連設され、前記第２の突片に隣接する部位に第２の切込みが形成された底部右側片とを備え、
前記大底部片の先端に形成される挿入片の胴部背面片に沿う方向の長さが前記第１および第２の突片の間の距離よりも短いことを特徴とするパッケージング。
【請求項１２】
前記多角形が四角形であることを特徴とする請求項１１に記載のパッケージング。
【請求項１３】
前記多角形が六角形であることを特徴とする請求項１１に記載のパッケージング。
【発明の詳細な説明】
【技術分野】
【０００１】
本発明は、例えばカメラ等の商品を収納するためのパッケージングに関する。
【背景技術】
【０００２】
従来、ある程度の重量の内容物を収納することができるパッケージングとして、「地獄底（アメリカンロック）」と呼ばれる箱底を有するものが提案されている（特許文献１）。この箱底は、底部背面片、底部左側面片、底部正面片、底部右側面片を組み合わせることによって簡単に成形され、糊付け等の作業が不要である。箱底を外側から見ると、底部左側面片と底部右側面片が三角形を呈し、また底部背面片と底部正面片が台形を呈しており、２つの台形の上底において接触するとともに、台形の斜辺が三角形の斜辺に接触している(特許文献１の図２（ハ））。
【特許文献１】特開２０００−１０３４２２号公報
【０００３】
上述した構成のパッケージングの箱底は、その中央部を内側から押しても、底部背面片、底部左側面片、底部正面片、底部右側面片の組み合わせ部分が相互に係合しているので、簡単には開かず、比較的重いものを収納することが可能である。
【発明の開示】
【発明が解決しようとする課題】
【０００４】
箱底の外面に製品番号等の情報を表示したいとき、上述した従来の箱底は、２つの台形と２つの三角形に分割され、しかも台形と三角形の分割線が箱底の中心にあるため、情報の表示個所が制約されるという問題がある。一方、箱底の外面を全体的に覆うようなシールを貼ることにより、情報の表示個所を確保することはできるが、輸送中の振動によって分割線がずれてシールが劣化し、情報が読みにくくなることがある。
【０００５】
本発明は、箱底の外面に種々の情報を表示するための面積を十分に確保して表示個所の自由度を向上させることができるパッケージングを提供することを目的としている。
【課題を解決するための手段】
【０００６】
本発明に係る第１のパッケージングは、可撓性板を折曲することによって成形されるパッケージングであって、平面状に展開した状態における可撓性板が、帯状に連設され、それぞれが略矩形を呈する胴部背面片、胴部左側片、胴部正面片、胴部右側片から成る本体部と、胴部背面片の下側に連設されて略矩形を呈し、上下方向の寸法が胴部左側片の左右方向の長さに略等しい大底部片と、胴部正面片の下側に連設され、胴部正面片に沿って延びる帯状片と帯状片の両端から胴部正面片とは反対方向に突出する第１および第２の突片とを有する小底部片と、胴部左側片の下側に連設され、第１の突片に対応する部位に第１の切込みが形成された底部左側片と、胴部右側片の下側に連設され、第２の突片に対応する部位に第２の切込みが形成された底部右側片とを備え、大底部片の先端に形成される挿入片の胴部背面片の沿う方向の長さが第１および第２の突片の間の距離よりも短いことを特徴としている。
【０００７】
大底部片がパッケージングの底部開口の大部分を覆う本体片と挿入片から成り、本体片と挿入片の間に、円弧状の第１および第２の切欠きが形成されることが好ましい。
【０００８】
あるいは大底部片がパッケージングの底部開口の大部分を覆う本体片と挿入片から成り、本体片と挿入片の間に第３の切込みが形成されて、挿入片の縁部に、胴部背面片に沿う方向に突出する係合爪が設けられてもよい。これにより、組立てられたパッケージングの底において、内容物の重量に対する強度が高められる。
【０００９】
係合爪の輪郭の例として、直角よりも小さい角度で交差する２本の直線を含む構成が可能である。係合爪の輪郭は全体的に曲線であってもよく、また第３の切込みとは反対側に凹みが形成されてもよい。
【００１０】
帯状片と第１および第２の突片との間に、円弧状の係合部が形成されることが好ましい。さらに、第１および第２の切込みが円弧状を有することが好ましい。これらの円弧状により、可撓性板の形状に較差があっても、組立て作業において亀裂が生じることがない。
【００１１】
底部左側片および底部右側片の上下方向の寸法はそれぞれ、胴部正面片の左右方向の長さの略半分であることが好ましい。これにより、パッケージングの底部の強度性能を向上させることができる。
【００１２】
組立て状態において、挿入片は帯状片の内側に位置し、第１および第２の突片は底部左側片および底部右側片の内側に位置する。
【００１３】
また本発明に係る第２のパッケージングは、可撓性板を折曲することによって成形され、組立て状態において多角形の底部開口を有するパッケージングであって、平面状に展開した状態における可撓性板が、帯状に連設された胴部背面片、胴部左側片、胴部正面片、胴部右側片から成り、胴部背面片が多角形において胴部正面片に対向する一辺に位置する本体部と、胴部背面片の下側に連設されて前記多角形と略同じ形状を呈する大底部片と、胴部正面片の下側に連設され、胴部正面片に沿って延びる帯状片と、帯状片の両端から胴部正面片とは反対方向に突出する第１および第２の突片とを有する小底部片と、胴部左側片の下側に連設され、第１の突片に隣接する部位に第１の切込みが形成された底部左側片と、胴部右側片の下側に連設され、第２の突片に隣接する部位に第２の切込みが形成された底部右側片とを備え、大底部片の先端に形成される挿入片の胴部背面片に沿う方向の長さが第１および第２の突片の間の距離よりも短いことを特徴としている。
【００１４】
パッケージングの底部開口の形状は、四角形あるいは六角形等のように辺の数が偶数である。
【発明の効果】
【００１５】
本発明によれば、パッケージングの底の外面に種々の情報を表示するための面積を十分に確保して表示個所の自由度を向上させることができる。
【発明を実施するための最良の形態】
【００１６】
以下、本発明の実施の形態を、図面を参照して説明する。
図１は、本発明の第１の実施形態であるパッケージングを上方から見た斜視図である。
【００１７】
このパッケージング１０は、例えばカメラおよび付属品を収容するために使用される。パッケージング１０は直方体状であり、４つの側壁を構成する本体部２０と、本体部２０の上部開口を閉塞するための一対の側片３１、３２および蓋３３と、底部（図示せず）とから成る。蓋３３の先端部３３ａは本体部２０側に折り曲げられ、また本体部２０の正面側の上部には、蓋３３を開けやすくするために、凹部２０ａが形成されている。
【００１８】
パッケージング１０は１枚の可撓性板を折曲することによって成形される。可撓性板としては、コートボール、ダンボール等の紙が通常用いられるが、合成樹脂等の薄板であってもよい。
【００１９】
図２はパッケージング１０を平面状に展開して示している。
本体部２０は、胴部背面片２１、胴部左側片２２、胴部正面片２３、胴部右側片２４を有し、これらは帯状に連設されている。すなわち、胴部背面片２１、胴部左側片２２、胴部正面片２３、胴部右側片２４はそれぞれ略矩形を呈し、隣接するものの間は、直線状の折り目２５によって区画されている。胴部背面片２１の胴部左側片２２とは反対側の縁部には糊しろ２６が形成されている。各折り目２５が外側になるように直角に折り曲げるとともに、糊しろ２６を胴部右側片２４の縁部に接着することによって、角筒状の本体部２０が成形される。
【００２０】
胴部背面片２１の下側には大底部片４１が連設されている。大底部片４１は略矩形を呈し、上下方向の寸法が胴部左側片２２の左右方向の長さに略等しい。大底部片４１はパッケージング１０の底部開口の大部分を覆う本体片４１ａと、本体片４１ａの先端に形成される挿入片４１ｂとから成る。
【００２１】
胴部正面片２３の下側には小底部片４２が連設されている。小底部片４２は、胴部正面片２３に沿って延びる帯状片４２ａと、帯状片４２ａの両端から胴部正面片２３とは反対方向に突出する第１および第２の突片４２ｂ、４２ｃとを有する。帯状片４２ａと第１および第２の突片４２ｂ、４２ｃとの間に形成される係合部４２ｄ、４２ｅは、図２では直線が直角に交差しているように見えるが、実際には四分円状を呈する。
【００２２】
胴部左側片２２の下側には底部左側片４３が連設されている。底部左側片４３は略矩形を有し、上下方向の寸法は胴部正面片２３の左右方向の長さの略半分である。また底部左側片４３において、第１の突片４２ｂに隣接（すなわち対応）する部位には第１の切込み４３ａが形成されている。第１の切込み４３ａの先端は半円状を有する。
【００２３】
同様に、胴部右側片２４の下側には、略矩形を有する底部右側片４４が連設されている。底部右側片４４の上下方向の寸法は胴部正面片２３の左右方向の長さの略半分であり、また第２の突片４２ｃに隣接（すなわち対応）する部位には、先端が半円状の第２の切込み４４ａが形成されている。
【００２４】
大底部片４１において、挿入片４１ｂの胴部背面片に沿う方向の長さ（左右方向の長さ）は第１および第２の突片４２ｂ、４２ｃの間の距離よりも短く、また本体片４１ａと挿入片４１ｂの間には、四分円状の第１および第２の切欠き４１ｃ、４１ｄが形成されている。
【００２５】
大底部片４１、底部左側片４３、小底部片４２、底部右側片４４と本体部２０の間は折り目４５によって区画されている。前述したように角筒状の本体部２０を成形した後、折り目４５が外側になるように折り曲げることによってパッケージング１０の底部が成形される。この組立て作業については、次に詳述する。
【００２６】
一方、胴部背面片２１の上側には蓋３３が連設されている。また、胴部左側片２２の上側には側片３１が連設され、胴部右側片２４には側片３２が連設されている。蓋３３、側片３１、３２と本体部２０の間は折り目３４によって区画されている。
【００２７】
図１〜図４を参照してパッケージング１０の組立て作業を説明する。
１枚のブランク板から、図１に示す形状のシート材が打ち抜き成形される。シート材は、胴部左側片２２と胴部正面片２３の間の折り目２５において２つに折り曲げられ、糊しろ２６が胴部右側片２４の縁部の裏側に糊付けされる。このようにして糊付けされたシート材は多数、積み重ねられて梱包され、内容物の収納作業を行う場所へ移送される。
【００２８】
収納作業場所では、まず、底部側が上に向けられ、本体部２０が箱型になるように広げられて小底部片４２が内側に折られる。そして、図３に示すように、底部左側片４３と底部右側片４４が内側に折られて小底部片４２の上に重ねられ、さらに大底部片４１が底部左側片４３と底部右側片４４を覆うように折られる。
【００２９】
この状態で、大底部片４１の挿入片４１ｂあたりを下方へ押圧すると、小底部片４２と底部左側片４３と底部右側片４４が下方へ大きく撓み、底部左側片４３と底部右側片４４の先端４３ｂ、４４ｂと挿入片４１ｂが小底部片４１の帯状片４２ａの下側に差し込まれる。そして押圧力を開放すると、小底部片４２、底部左側片４３、底部右側片４４、大底部片４１が復元し、図４に示すように、底部４０が成形される。すなわち、挿入片４１ｂが帯状片４２ａの内側に位置し、第１および第２の突片４２ｂ、４２ｃが底部左側片４３および底部右側片４４の内側に位置する。また、大底部片４１の切欠き４１ｃと底部左側片４３の切込み４３ａと小底部片４２の係合部４２ｄとが巴状に係合し、大底部片４１の切欠き４１ｄと底部右側片４４の切込み４４ａと小底部片４２の係合部４２ｅとが巴状に係合する。
【００３０】
以上のように本実施形態によれば、大底部片４１を単に押圧するだけで底部４０を組立てることができ、パッケージング４０の組立て工程が簡単である。また切欠き４１ｃ、切込み４３ａ、係合部４２ｄの係合と、切欠き４１ｄ、切込み４４ａ、係合部４２ｅの係合とにより、底部４０の強度が確保され、内容物が確実に保持される。さらに、底部左側片４３と底部右側片４４は、それぞれの先端が相互に接近して、底部４０の全体にわたっているため、内容物が例えば中判カメラ等の重量物であっても底部４０がその重量によって壊れることはない。
【００３１】
また、大底部片４１の本体片４１ａはパッケージング１０の底部開口の大部分を覆うような大きさを有しているので、パッケージング１０に収容される商品に関する情報等を、底部の分割線によって分断されることなく高い自由度で印刷することができる。また、そのような情報等が印刷されたシールを貼る場合でも、そのための場所の面積を、底面の分割線を避けて十分に確保することができる。すなわち、従来のパッケージングよりも大きなシールを貼付することができ、またシールを貼付する場所の自由度が向上する。このシールは、本体片４１ａだけでなく、胴部背面片２１にも貼付することができる。したがって、胴部背面片２１と本体片４１ａに跨って１枚のシールを貼ることもでき、シールを複数に分ける場合と比較して、シールに対する印刷工程が単純になる。
【００３２】
なお本実施形態において、切欠き４１ｃ、４１ｄ、切込み４３ａ、４４ａ、係合部４２ｄ、４２ｅは、それぞれ円弧状を有しているが、曲線であればよく、円弧状に限定されない。また、シート材がダンボールあるいは合成樹脂等のように素材自体にある程度の強度があるときには円弧状等の曲線に成形する必要はない。
【００３３】
また本発明は、第１実施形態において胴部背面片２１と胴部正面片２３の位置を入れ替えた場合にも適用できる。この場合、大底部片４１は底部左側片４３と底部右側片４４の間に位置し、小底部片４２は底部左側片４３の左側に位置する。したがって、底部左側片４３において切込み４３ａは左側、すなわち第１の突片に対応した部位に形成され、またと底部右側片４４において切込み４４ａは右側、すなわち第２の突片に対応した部位に形成される。
【００３４】
図５は本発明の第２の実施形態であるパッケージングの展開図を示しており、基本的な構成は第１の実施形態と同じである。第１の実施形態との違いは、大底部片５１と小底部片５２と底部左側片５３と底部右側片５４の形状にある。
【００３５】
すなわち、大底部片５１において、本体片５１ａの挿入片５１ｂに近接した部位５１ｄ、５１ｅは直線的に窄まり、挿入片５１ｂとの接続部分に切欠きは成形されていない。また、底部左側片５３と底部右側片５４に成形された切込み５３ａ、５４ａは半円状ではなく、直角の角部である。小底部片５２は第１の実施形態と略同じ形状を有し、帯状片５２ａと第１および第２の突片５２ｂ、５２ｃを有するが、係合部５２ｄ、５２ｅは四分円状ではなく、直角の角部である。一方、底部左側片５３と底部右側片５４の上下方向の寸法は、小底部片４２の第１および第２の突片４２ｂ、４２ｃよりも若干長い程度で、胴部正面片２３の約４分の１である。
【００３６】
その他の構成は第１の実施形態と同じであり、組立て方法も同様である。
【００３７】
第２の実施形態によれば、第１の実施形態と比較して、各片同士のズレ量を少なくすることができるので、精度の高いパッケージングが。また、底面片の端面が何かに引っかかってめくれるという不具合が発生し難いというメリットがあるが、パッケージングの大きさによっては強度性能がやや劣る場合があるので、シート材がダンボールあるいは合成樹脂等、素材自体にある程度の強度を用いることが好ましい。
【００３８】
図６は本発明の第３の実施形態であるパッケージングの展開図を示している。基本的な構成は第１の実施形態と同じであり、違いは大底部片６１の形状にある。具体的には、大底部片６１はパッケージングの底部開口の大部分を覆う本体片６１ａと挿入片６１ｂから成り、本体片６１ａと挿入片６１ｂの間に第３の切込み６１ｃ、６１ｄが設けられている。第３の切込み６１ｃは、図７に拡大して示すように、第１の実施形態における切欠き４１ｃ（図２参照）に対向する鋭角の切欠き６１ｅを設けるようにして形成される。すなわち第３の切込み６１ｃにより、挿入片６１ｂの縁部に、挿入片６１ｂの長手方向（胴部背面片２１に沿う方向）に突出する係合爪６１ｆが形成され、係合爪６１ｆの輪郭は、直角よりも小さい角度で交差する２本の直線Ａ１、Ａ２を含む。その他の構成は第１の実施形態と同じである。
【００３９】
第３の実施形態によれば、パッケージングの底部において、切欠き６１ｃ、切込み６３ａ、係合部６２ｄの係合強度と、切欠き６１ｄ、切込み６４ａ、係合部６２ｅの係合強度とが高められ、第１の実施形態よりも重い内容物を保持することができる。
【００４０】
図８は本発明の第４の実施形態であるパッケージングの展開図を示している。第３の実施形態と同様に、第１の実施形態との違いは大底部片７１の形状にある。すなわち大底部片７１において、本体片７１ａと挿入片７１ｂの間に第３の切込み７１ｃ、７１ｄが設けられている。第３の切込み７１ｃ、７１ｄは、第３の実施形態と比較して深い切込みであり、係合爪７１ｅ、７１ｆの輪郭は全体的に曲線である。また係合爪７１ｅ、７１ｆの輪郭において、第３の切込み７１ｃ、７１ｄとは反対側には、これらの切込みよりも浅い凹み７１ｇ、７１ｈが形成される。
【００４１】
第４の実施形態によっても、第３の実施形態と同様に、パッケージングの底部において、切欠き７１ｃ、切込み７３ａ、係合部７２ｄの係合強度と、切欠き７１ｄ、切込み７４ａ、係合部７２ｅの係合強度とが高められ、第１の実施形態よりも重い内容物を保持することができる。また、浅い凹み７１ｇ、７１ｈを設けることにより、箱の材質（例えば、材料の厚みが比較的厚い場合）によっては、挿入片７１ｂを小底部片７２の内側によりスムーズに押し込むことができる。
【００４２】
図９は本発明の第５の実施形態であるパッケージングの展開図を示している。第３の実施形態と同様に、第１の実施形態との違いは大底部片８１の形状にある。すなわち大底部片８１において、本体片８１ａと挿入片８１ｂの間に第３の切込み８１ｃ、８１ｄが設けられている。第３の切込み８１ｃ、８１ｄは、第３の実施形態と比較して深い切込みであり、係合爪８１ｅ、８１ｆの輪郭は全体的に曲線である。また第４の実施形態とは異なり、浅い凹みは形成されていない。
【００４３】
第５の実施形態によっても、第３の実施形態と同様に、パッケージングの底部において、切欠き８１ｃ、切込み８３ａ、係合部８２ｄの係合強度と、切欠き８１ｄ、切込み８４ａ、係合部８２ｅの係合強度とが高められ、第１の実施形態よりも重い内容物を保持することができる。
【００４４】
図１０は本発明の第６の実施形態であるパッケージングの展開図を示している。基本的な構成は第３の実施形態と同じであり、違いは小底部片９２の形状にある。すなわち、小底部片９２において、帯状片９２ａの両端から胴部正面片２３とは反対方向に第１および第２の突片９２ｂ、９２ｃが突出している。帯状片９２ａと第１および第２の突片９２ｂ、９２ｃとの間に形成される係合部９２ｄ、９２ｅは、四角形の切欠きである。その他の構成は第３の実施形態と同じである。
【００４５】
第６の実施形態によっても、第３の実施形態と同様に、パッケージングの底部において、切欠き６１ｃ、切込み６３ａ、係合部９２ｄの係合強度と、切欠き６１ｄ、切込み６４ａ、係合部９２ｅの係合強度とが高められ、第１の実施形態よりも重い内容物を保持することができる。
【００４６】
図１１は本発明の第７の実施形態であるパッケージングの展開図を示している。
このパッケージングは底部開口が六角形を有している。すなわち本体部１００は胴部背面片１０１、第１および第２の胴部左側片１０２、１０３、胴部正面片１０４、第１および第２の胴部右側片１０５、１０６から成り、胴部背面片１０１は六角形において胴部正面片１０４に対向する一辺に位置している。これらの片１０１〜１０６の左右方向の長さは同一である。
【００４７】
大底部片１１１は開口と略同じ形状を呈する本体片１１１ａを有し、先端には挿入片１１１ｂが形成されている。小底部片１１２は第１の実施形態と同じ形状を有し、帯状片１１２ａと第１および第２の突片１１２ｂ、１１２ｃとを有する。底部左側片１１３は、胴部正面片１１４の左側に隣接する第２の胴部左側片１１３の下側に連設され、第１の突片１１２ｂに隣接する部位に第１の切込み１１３ａが形成されている。底部右側片１１４は、胴部正面片１０４の右側に隣接する第１の胴部右側片１０５の下側に連設され、第２の突片１１２ｃに隣接する部位に第２の切込み１１３ａが形成されている。挿入片１１１ｂの胴部背面片１０１に沿う方向の長さは第１および第２の突片１１２ｂ、１１２ｃの間の距離よりも短い。
【００４８】
胴部背面片１０１の上側には、開口と同じ六角形の蓋１２１が連設されている。第１の胴部左側片１０２の上側と下側、第２の胴部左側片１０３の上側、第１の胴部右側片１０５の上側、第２の胴部右側片１０６の上側と下側には、それぞれ側片１２２が連設されている。側片１２２の形状は自由に定めることができ、例えば底部の強度を向上させたい場合には必要な分だけ大きくすればよい。
【００４９】
その他の構成は第１および第２の実施形態と同じである。また組立て方法も第１および第２の実施形態と同じであるので、説明を省略する。
【００５０】
特に第７の実施形態から容易に理解できるように、本発明はパッケージングの開口が四角形に限定されず、正六角形等のように、辺の数が偶数である正多角形の開口を有するパッケージングに適用可能であるが、辺の数が奇数である多角形であっても、胴部背面片が胴部正面片に対向する一辺に位置する場合にも適用可能である。
【００５１】
上記各実施形態においてパッケージングは１枚の可撓性板から成形されると説明したが、本発明はこれに限定されるものではなく、例えば２枚の可撓性板を糊付けして繋いだものから成形されてもよい。
【図面の簡単な説明】
【００５２】
【図１】本発明の第１の実施形態であるパッケージングを上方から見た斜視図である。
【図２】図１に示すパッケージングの展開図である。
【図３】パッケージングの組立て作業の途中を示し、底部を上側にした状態の斜視図である。
【図４】組立てられた状態の底部を示す図である。
【図５】本発明の第２の実施形態であるパッケージングの展開図である。
【図６】本発明の第３の実施形態であるパッケージングの展開図である。
【図７】図６のパッケージングの第３の切欠きの部分を示す拡大図である。
【図８】本発明の第４の実施形態であるパッケージングの展開図である。
【図９】本発明の第５の実施形態であるパッケージングの展開図である。
【図１０】本発明の第６の実施形態であるパッケージングの展開図である。
【図１１】本発明の第７の実施形態であるパッケージングの展開図である。
【符号の説明】
【００５３】
２０  本体部
２１  胴部背面片
２２  胴部左側片
２３  胴部正面片
２４  胴部右側片
４１  大底部片
４１ｂ  挿入片
４２  小底部片
４２ａ  帯状片
４２ｂ  第１の突片
４２ｃ  第２の突片
４３  底部左側片
４３ａ  第１の切込み
４４  底部右側片
４４ａ  第２の切込み
【図１】
2006232402.tif 000003
【図２】
2006232402.tif 000004
【図３】
2006232402.tif 000005
【図４】
2006232402.tif 000006
【図５】
2006232402.tif 000007
【図６】
2006232402.tif 000008
【図７】
2006232402.tif 000009
【図８】
2006232402.tif 000010
【図９】
2006232402.tif 000011
【図１０】
2006232402.tif 000012
【図１１】
2006232402.tif 000013